(57)【要約】【課題】ケーブルを挿通するだけでケーブルの外周面に良好に滑剤を塗布し得るとともに、塗布した滑剤を完全に除去し得るばかりでなく、除去した滑剤の再利用を可能にした滑剤塗布装置、滑剤除去装置およびケーブル布設方法を提供する。【解決手段】ケーブル１の外周面が内周面に当接して貫通する貫通孔６Ａを有する環状部材の周方向の一箇所で径方向に伸びる分割線６Ｂにより分割されるとともに、貫通孔６Ａの周方向の複数個所に分散配置されて径方向に沿い遠心方向に伸びる複数個の切欠部６Ｃが形成された可撓性部材の塗布用シート６と、塗布用シート６を両側から挟んで保持する板状の受枠２（２Ａ，２Ｂ）と、塗布用シート６を一体的に保持した受枠２の両端部を介して受枠２を保持する筐体とを有する。【選択図】  図３
2014176105.tif 000002
【特許請求の範囲】
【請求項１】
ケーブルの外周面が内周面に当接して貫通する貫通孔を有する環状部材の周方向の一箇所で径方向に伸びる分割線により分割されるとともに、前記貫通孔の周方向の複数個所に分散配置されて径方向に沿い遠心方向に伸びる複数個の切欠部が形成された可撓性部材の塗布用シートと、
前記塗布用シートを両側から挟んで保持する板状の受枠と、
前記塗布用シートを一体的に保持した前記受枠の両端部を介して前記受枠を保持する筐体とを有することを特徴とする滑剤塗布装置。
【請求項２】
請求項１に記載する滑剤塗布装置において、
前記塗布用シートは、前記塗布用シートを両側から挟んで保持するベアリングを介して回動可能に前記受枠に保持させたことを特徴とする滑剤塗布装置。
【請求項３】
請求項２に記載する滑剤塗布装置において、
前記ケーブルはトリプレックスケーブルであり、
前記切欠部は、前記トリプレックスケーブルの外周面が内接する内接円上において、前記トリプレックスケーブルの各相に対応させて少なくとも一個形成されていることを特徴とする滑剤塗布装置。
【請求項４】
ケーブルの外周面が内周面に当接して貫通する貫通孔を有する環状部材の周方向の一箇所で径方向に伸びる分割線により分割された可撓性部材の除去用シートと、
前記除去用シートを両側から挟んで保持する板状の受枠と、
前記除去用シートを一体的に保持した前記受枠の両端部を介して前記受枠を保持する筐体とを有することを特徴とする滑剤除去装置。
【請求項５】
請求項４に記載する滑剤除去装置において、
前記除去用シートは、前記除去用シートを両側から挟んで保持するベアリングを介して回動可能に前記受枠に保持させたことを特徴とする滑剤除去装置。
【請求項６】
請求項４または請求項５に記載する滑剤除去装置において、
前記除去用シートを一体的に保持した前記受枠の複数枚を、前記貫通孔の軸方向が前記ケーブルの軸方向に一致するように前記各受枠の両端部を介して前記筐体に配設したことを特徴とする滑剤除去装置。
【請求項７】
ケーブルを管路内に布設するケーブル布設方法であって、
前記塗布用シートまたは前記除去用シートを捻ることにより前記分割線の部分を開いて布設するケーブルの外周面に前記塗布用シートまたは前記除去用シートの貫通孔の内周面を当接させることにより前記塗布用シートまたは前記除去用シートを前記ケーブルに装着する工程と、
前記ケーブルに装着された前記塗布用シートまたは前記除去用シートを前記受枠で両側から挟んで保持する工程と、
前記ケーブルに装着された前記塗布用シートまたは前記除去用シートを挟んで保持した受枠を筐体で保持する工程とを有することを特徴とするケーブル布設方法。
【請求項８】
請求項７に記載するケーブル布設方法において、
前記ケーブルに装着された前記塗布用シートまたは前記除去用シートを前記ベアリングで両側から挟んで回動可能に保持する工程と、
前記ベアリングを両側から挟んで前記受枠で保持する工程とを有することを特徴とするケーブル布設方法。
【発明の詳細な説明】
【技術分野】
【０００１】
本発明は滑剤塗布装置、滑剤除去装置およびケーブル布設方法に関し、ケーブルを管路に布設する場合に適用して有用なものである。
【背景技術】
【０００２】
地中送電用の管路にケーブルを布設する場合、従来から、管路内に挿通したワイヤーを始端側でケーブルの先端に取り付け、これを管路の終端側からウィンチなどで牽引する工法が汎用されている。かかる工法において管路の内周面とケーブルの外周面との摩擦を低減するため、管路の内周面およびケーブルの外周面の一方または両方に滑材を塗布している。
【０００３】
ここで、各管路は中間マンホールを介して接続されているが、前記中間マンホールで区切られた管路毎に一本のケーブルを挿通し、中間マンホール内において挿通した各ケーブルの端部を相互に接続した場合には、接続作業に多大な工数と時間を要する。このため、ケーブル布設工事における工期の長期化とコストアップを回避することを目的として長尺のケーブルを中間マンホールを介して連続する複数の管路に跨るように挿通して、中間マンホールでの接続作業を不要とする長尺布設工法が提案されている。かかる長尺布設工法を開示したものとして、特許文献１がある。
【０００４】
特許文献１のケーブル布設工法は、中間マンホールを介して接続された一方の管路から他方の管路に亘って、その先端に牽引力を付与してケーブルを貫通させるケーブル布設工法であって、第１の管路に挿入する前に水溶性の滑剤を塗布するとともに、第２の管路に挿入する前に油溶性の滑剤を塗布するようにしたものである。ここで、中間マンホール内にはケーブルを上下からキャタピラ状の部材で挟んで軸方向への移動力を付与する押込み装置を配設し、押込み装置でケーブルの中押しを行うようになっている。
【先行技術文献】
【特許文献】
【０００５】
【特許文献１】特開２００６−３１４１７３号公報
【発明の概要】
【発明が解決しようとする課題】
【０００６】
上記特許文献１をはじめ、従来技術において、ケーブルの外周面に塗布した滑材の除去は、市販の高圧洗浄機等による高圧放水により行っている。このため、その後、ウエス等による滑材残を拭い取る作業が必要となる。かかる作業が、狭小なマンホールの作業である点を考慮すると作業性が悪く、また中押し用の押込み装置へ挟まれる等の危険もある。
【０００７】
さらに、大量の水を使用するため作業環境も悪化するばかりでなく、滑材除去に洗浄水を使用するため、滑剤の再利用ができないばかりでなく、中押し工程後は再度滑材を塗布する必要があり、その塗布には新たな滑材が必要となり無駄が多い。
【０００８】
また、布設するケーブルが３本撚りのトリプレックスケーブルの場合には、滑剤の塗布の必要がない谷間に滑剤が流れ込むことで無駄が生じ、さらに拭い取りも困難となるという問題を有している。
【０００９】
本発明は、上記従来技術に鑑み、ケーブルを挿通するだけでケーブルの外周面に良好に滑剤を塗布し得るとともに、塗布した滑剤を完全に除去し得るばかりでなく、除去した滑剤の再利用を可能にした滑剤塗布装置、滑剤除去装置およびケーブル布設方法を提供することを目的とする。
【課題を解決するための手段】
【００１０】
本発明の第１の態様は、
ケーブルの外周面が内周面に当接して貫通する貫通孔を有する環状部材の周方向の一箇所で径方向に伸びる分割線により分割されるとともに、前記貫通孔の周方向の複数個所に分散配置されて径方向に沿い遠心方向に伸びる複数個の切欠部が形成された可撓性部材の塗布用シートと、
前記塗布用シートを両側から挟んで保持する板状の受枠と、
前記塗布用シートを一体的に保持した前記受枠の両端部を介して前記受枠を保持する筐体とを有することを特徴とする滑剤塗布装置にある。
【００１１】
本発明の第２の態様は、
第１の態様に記載する滑剤塗布装置において、
前記塗布用シートは、前記塗布用シートを両側から挟んで保持するベアリングを介して回動可能に前記受枠に保持させたことを特徴とする滑剤塗布装置にある。
【００１２】
本発明の第３の態様は、
第２の態様に記載する滑剤塗布装置において、
前記ケーブルはトリプレックスケーブルであり、
前記切欠部は、前記トリプレックスケーブルの外周面が内接する内接円上において、前記トリプレックスケーブルの各相に対応させて少なくとも一個形成されていることを特徴とする滑剤塗布装置にある。
【００１３】
本発明の第４の態様は、
ケーブルの外周面が内周面に当接して貫通する貫通孔を有する環状部材の周方向の一箇所で径方向に伸びる分割線により分割された可撓性部材の除去用シートと、
前記除去用シートを両側から挟んで保持する板状の受枠と、
前記除去用シートを一体的に保持した前記受枠の両端部を介して前記受枠を保持する筐体とを有することを特徴とする滑剤除去装置にある。
【００１４】
本発明の第５の態様は、
第４の態様に記載する滑剤除去装置において、
前記除去用シートは、前記除去用シートを両側から挟んで保持するベアリングを介して回動可能に前記受枠に保持させたことを特徴とする滑剤除去装置にある。
【００１５】
本発明の第６の態様は、
第４または第５の態様に記載する滑剤除去装置において、
前記除去用シートを一体的に保持した前記受枠の複数枚を、前記貫通孔の軸方向が前記ケーブルの軸方向に一致するように前記各受枠の両端部を介して前記筐体に配設したことを特徴とする滑剤除去装置にある。
【００１６】
本発明の第７の態様は、
ケーブルを管路内に布設するケーブル布設方法であって、
前記塗布用シートまたは前記除去用シートを捻ることにより前記分割線の部分を開いて布設するケーブルの外周面に前記塗布用シートまたは前記除去用シートの貫通孔の内周面を当接させることにより前記塗布用シートまたは前記除去用シートを前記ケーブルに装着する工程と、
前記ケーブルに装着された前記塗布用シートまたは前記除去用シートを前記受枠で両側から挟んで保持する工程と、
前記ケーブルに装着された前記塗布用シートまたは前記除去用シートを挟んで保持した受枠を筐体で保持する工程とを有することを特徴とするケーブル布設方法にある。
【００１７】
本発明の第８の態様は、
第７の態様に記載するケーブル布設方法において、
前記ケーブルに装着された前記塗布用シートまたは前記除去用シートを前記ベアリングで両側から挟んで回動可能に保持する工程と、
前記ベアリングを両側から挟んで前記受枠で保持する工程とを有することを特徴とするケーブル布設方法にある。
【発明の効果】
【００１８】
本発明によれば、滑材の塗布用シートに滑材を塗布したケーブルを通すことで均一に滑材を塗布でき、また滑材の除去用シートに滑材が付着したケーブルを通すことで滑材を良好に除去することができる。すなわち、滑剤の除去のために水等の液体を用いた洗浄を行う必要がないので、かかる洗浄作業に伴う排水により環境が汚染される心配もない。しかも、本発明では、削ぎ落とした滑剤を筐体内に貯留することができるので、これを再利用することもできる。
【００１９】
また、除去用シートをケーブルの送り方向に沿って複数枚配設することで、滑材を確実に除去することができる。
【００２０】
さらに、塗布用および除去用シートを、ベアリングを介して受枠に回動可能に保持するようにしたので、撚りのあるトリプレックスケーブルや金属シースのコルゲートケーブルにも良好に対応可能となる。
【図面の簡単な説明】
【００２１】
【図１】本発明の実施の形態に係る滑剤塗布装置および滑剤除去装置を適用したケーブル布設工法を概念的に示す説明図である。
【図２】図１の各部を抽出して示す図で、（ａ）は滑剤塗布装置、（ｂ）は滑剤除去装置、（ｃ）は押込み装置をそれぞれ示す構造図である。
【図３】単心ケーブル用の塗布用シートを受枠に一体化した状態で示す正面図で、（ａ）がケーブル未挿通状態、（ｂ）がケーブル挿通状態をそれぞれ示している。
【図４】単心ケーブル用の除去用シートを受枠に一体化した状態で示す正面図で、（ａ）がケーブル未挿通状態、（ｂ）がケーブル挿通状態をそれぞれ示している。
【図５】本形態に係る単心ケーブルの滑剤除去装置を示す図で、（ａ）は全体の斜視図、（ｂ）はそのＡ部分を抽出して示す拡大図、（ｃ）はケーブルに除去用シートを装着した状態を示す上面から見た拡大図、（ｄ）は（ｃ）のＢ部分をＣ部分に対応させて断面で見た拡大図である。
【図６】本発明のケーブル布設方法を概念的に示す説明図である。
【図７】トリプレックスケーブル用の塗布用シートを受枠に一体化した状態で示す正面図で、（ａ）がケーブル未挿通状態、（ｂ）がケーブル挿通状態をそれぞれ示している。
【図８】トリプレックスケーブル用の除去用シートを受枠に一体化した状態で示す正面図で、（ａ）がケーブル未挿通状態、（ｂ）がケーブル挿通状態をそれぞれ示している。
【発明を実施するための形態】
【００２２】
以下、本発明の実施の形態を図面に基づき詳細に説明する。
【００２３】
図１は本発明の実施の形態に係る滑剤塗布装置および滑剤除去装置を適用したケーブル布設工法を概念的に示す説明図である。同図に示すように、当該ケーブル布設工法は、中間マンホール２１を介して接続された第１の管路２２から第２の管路２３に亘って、その先端に牽引力を付与したケーブル１を貫通させる布設工法であって、第１の管路２２に挿通する前に滑剤塗布装置Ａ１により滑剤を引き延ばして均一塗布するとともに、第１の管路２２の挿通後に滑剤除去装置Ｂ１により滑剤を除去する。同様に、第２の管路２３に挿通する前に滑剤塗布装置Ａ２により滑剤を引き延ばして均一塗布するとともに、第２の管路２３の挿通後に滑剤除去装置Ｂ２により塗布された滑剤を除去する。なお、ケーブル１の外周面への滑剤の塗布は作業員の手作業で行う。すなわち、作業員が手に滑剤を付着させてケーブルの外周面に塗り込む。ただ、このままでは、塗りむらを生起しており、同時に塗り残し部分も生起している。そこで、滑剤塗布装置Ａ１，Ａ２により滑剤を引き延ばすことによる塗りむらの除去等を行って均質化する作業が必要になる。
【００２４】
このようにケーブル１は、管路２２，２３に挿通される前に滑剤が塗布され、管路２２，２３を挿通させた後に滑剤が拭取られて除去されながら、ケーブル１の布設工程の途中に適宜配設された押込み装置２４，２５，２６，２７を用いて下流側に送られる。すなわち、ケーブル１はケーブルドラム２８に巻き取られた状態でケーブル１を布設する工事現場まで運搬され、ケーブルドラム２８から繰り出される。かかるケーブル１は、押込み装置２４で送り出され、一対のガイド管２９Ａ，２９Ｂを介して、地中に形成された始端側作業孔３０に到達する。
【００２５】
ここで、予めワイヤー３１を、ケーブル１が挿通される第１の管路２２および第２の管路２３に亘るように挿通しておき、このワイヤー３１の先端とケーブル１の先端とを接続する。このときはワイヤー３１をケーブル１の導体に接続する。ワイヤー３１は、終端側作業孔３２に配設した滑車３３を介し、地上に配設されたウィンチ３４により牽引される。
【００２６】
始端側作業孔３０には、押込み装置２５が設置されており、これによりケーブル１に、第１の管路２２の方向に向かう駆動力を付与する。押込み装置２５により送出されたケーブル１には滑剤塗布装置Ａ１において、滑材が均一に伸ばして塗布される。かかる滑材は、中間マンホール２１内において滑剤除去装置Ｂ１で除去される。同様に、押込み装置２６，２７により送出されたケーブル１には滑剤塗布装置Ａ２において、滑材が均一に伸ばして塗布され、終端側作業孔３２内において滑剤除去装置Ｂ２で除去される。
【００２７】
図２は、図１の各部を抽出して示す図で、（ａ）は滑剤塗布装置、（ｂ）は滑剤除去装置、（ｃ）は押込み装置をそれぞれ示す構造図である。滑剤塗布装置Ａ１，Ａ２は、図２（ａ）に示すように、塗布用シート（図２には図示せず）を保持する受枠２を筐体３で保持したものであり、塗布用シートをケーブル１が通過することにより満遍なく滑剤Ｗをケーブル１の外周面に塗布するとともに余剰の滑剤Ｗを削ぎ落として筐体３に貯留させ、回収する。滑剤除去装置Ｂ１，Ｂ２は、図２（ｂ）に示すように、除去用シート（図１には図示せず）を保持する受枠４を筐体５で保持したものであり、除去用シートをケーブル１が通過することによりケーブル１の外周面に塗布されている滑剤Ｗを削ぎ落とすように除去し、除去した滑剤Ｗを筐体５に貯留させ、回収する。滑剤塗布装置Ａ１，Ａ２および滑剤除去装置Ｂ１，Ｂ２に関するさらに詳細な構成は後に詳述する。
【００２８】
図２（ｃ）に示す押込み装置２４〜２７としては、回転駆動されるキャタピラ状の一対のベルト３５Ａ，３５Ｂを有し、そのベルト３５Ａ，３５Ｂ間にケーブル１を挟持してケーブル１を軸方向に移動させる構成とすれば良い。
【００２９】
図３は単心ケーブル用の塗布用シートを受枠に一体化した状態で示す正面図で、（ａ）がケーブル未挿通状態、（ｂ）がケーブル挿通状態をそれぞれ示している。
【００３０】
同図に示すように、可撓性のゴムシートで形成した滑剤の塗布用シート６は、ケーブル１の外周面が内周面に当接して貫通する貫通孔６Ａを有する環状部材であり、その周方向の一箇所で径方向に伸びる分割線６Ｂにより分割されている。また、塗布用シート６の貫通孔６Ａの周方向の複数箇所（図では８箇所）には、複数個（図では８個）の切欠部６Ｃが形成されている。各切欠部６Ｃは塗布用シート６の径方向に沿い分散された各位置で遠心方向に伸びている。２分割された板状の受枠２（２Ａ，２Ｂ）は塗布用シート６を両側から挟んで保持する部材である。本形態における塗布用シート６はベアリング８を介して受枠２に保持されている。この結果、塗布用シート６は受枠２に対し回動可能となっている。
【００３１】
かかる塗布用シート６は、図２（ａ）に示すように、受枠２を介して筐体３で保持される。かかる状態で滑剤を塗布したケーブル１が貫通孔６Ａを挿通されると切欠部６Ｃ以外の部分では、ケーブル１に塗布された滑剤が削ぎ落とされ、切欠部６Ｃを通過した滑剤Ｗのみでケーブル１の外周面に満遍なく塗布される。
【００３２】
図４は単心ケーブル用の除去用シートを受枠に一体化した状態で示す正面図で、（ａ）がケーブル未挿通状態、（ｂ）がケーブル挿通状態をそれぞれ示している。同図に示すように、可撓性のゴムシートで形成した滑剤の除去用シート７は、ケーブル１の外周面が内周面に当接して貫通する貫通孔７Ａを有する環状部材であり、その周方向の一箇所で径方向に伸びる分割線７Ｂにより分割されている。２分割された板状の受枠４（４Ａ，４Ｂ）は除去用シート７を両側から挟んで保持する部材である。本形態における除去用シート７はベアリング９を介して受枠４に保持されている。この結果、除去用シート７は受枠４に対し回動可能となっている。
【００３３】
かかる除去用シート７は、切欠部６Ｃを有しないだけで、塗布用シート６と同様の構成となっている。したがって、受枠４およびベアリング９は両者で共用することもできる。
【００３４】
また、除去用シート７は、図４（ｂ）、およびそのさらに詳細な当該滑剤除去装置の構造を示す図５（ａ）に明示するように、受枠４を介して筐体５で複数個（図では３個）が保持されている。かかる筐体５は上流側である上流面５Ａと、下流側である下流面５Ｂと、上流面５Ａおよび下流面５Ｂに両端部が固定された２枚の側面５Ｃ，５Ｄと、底面５Ｅとからなる。
【００３５】
ここで、図５（ｂ）に図５（ａ）のＡ部分を拡大して示すように、受枠４はその幅方向の端部を、側面５Ｃの内周面に上下方向に形成した溝５Ｆに上方から挿入するようになっている。また、図示はしないが、側面５Ｄの内周面にも同様の溝が形成されている。したがって、受枠４は筐体５の上方から溝５Ｆにその両端部を挿入することにより簡単に筐体５に保持させることができる。
【００３６】
図５（ｃ）はケーブルに除去用シートを装着した状態を示す上面から見た拡大図、同図（ｄ）は同図（ｃ）のＢ部分をＣ部分に対応させて断面で見た拡大図である。両図を参照すれば明らかな通り、本形態では、除去用シート７の内周面を、ケーブル１の挿通方向（図の左から右方向）に向かって斜めになるように傾斜させてある。このことによりケーブル１との間の摩擦により挿通方向に引っ張られて傾斜部分が変形することにより除去用シート７のケーブル１の外周面に対する接触面積を大きくすることができる。
【００３７】
本形態において滑剤が塗布されたケーブル１が貫通孔７Ａを挿通されると、除去用シート７の内周面とケーブル１の外周面との接触により塗布された滑剤が削ぎ落とされる。ここで、本形態では同様の除去作業を３個の除去用シート７で個別に行うので、ケーブル１の外周面に塗布された滑剤を完全に除去することができる。かかる除去作業により除去された滑剤Ｗは筐体５に貯留される。筐体５には貯留された滑剤Ｗを抜くための開口５Ｇが設けてある。
【００３８】
図６は本発明の実施の形態に係るケーブル布設方法を概念的に示す説明図である。同図に示すように、ケーブル１を布設するに際し、図６（ａ）に示すように、塗布用シート６または除去用シート７を捻ることにより分割線６Ｂ，７Ｂの部分を開いて布設するケーブル１の外周面に塗布用シート６または除去用シート７の貫通孔６Ａ，７Ａ(図３および図４参照)の内周面を当接させる。このことにより図６（ｂ）に示すように、塗布用シート６または除去用シート７をケーブル１に装着する。
【００３９】
続いてケーブル１に装着された塗布用シート６または除去用シート７をベアリング８，９で両側から挟んで受枠２，４(図３および図４参照)に保持させる。
【００４０】
最後に、図示はしないが、ケーブル１に装着された塗布用シート６または除去用シート７を挟んで保持した受枠２，４を筐体３，５(図２（ａ）および図２（ｂ）参照)で保持する。
【００４１】
かかる一連の工程で準備が完了するので、図１に基づき説明した前述の態様で所定の布設工程を実行する。
【００４２】
図７はトリプレックスケーブル用の塗布用シートを受枠に一体化した状態で示す正面図で、（ａ）がケーブル未挿通状態、（ｂ）がケーブル挿通状態をそれぞれ示している。同図に示すように、可撓性のゴムシートで形成した滑剤の塗布用シート１２は、トリプレックスケーブル４１（４１Ｕ、４１Ｖ、４１Ｗ）の外周面が内周面に当接して貫通する貫通孔１２Ａを有する環状部材である。貫通孔１２Ａはトリプレックスケーブル４１の外形形状となっている。また、貫通孔１２Ａの外周面から遠心方向に伸びる切欠部１２Ｃは、トリプレックスケーブル４１の外周面が内接する内接円上において、トリプレックスケーブル４１の各相Ｕ，Ｖ，Ｗに対応させて少なくとも１個（本形態では３個）づつ形成されている。さらに、塗布用シート１２は、周方向の一箇所で径方向に伸びる分割線１２Ｂにより分割されている。２分割された板状の受枠１０（１０Ａ，１０Ｂ）は塗布用シート１２を両側から挟んで保持する部材である。本形態における塗布用シート１２はベアリング１４を介して受枠１０に保持されている。この結果、塗布用シート１２は受枠１０に対し回動可能となっている。
【００４３】
かかる塗布用シート１２は、図３に示す単心用の塗布用シート６と同様の機能を発揮する。ここで、塗布用シート１２はベアリング１４を介して受枠１０に保持されているので、貫通孔１２Ａに挿通されたトリプレックスケーブル４１が布設に伴い軸方向に移動すると受枠１０に対する回転力が発生するが、ベアリング１４を介して塗布用シート１２が回動することで良好な所定の布設を継続することができる。
【００４４】
図８はトリプレックスケーブル用の除去用シートを受枠に一体化した状態で示す正面図で、（ａ）がケーブル未挿通状態、（ｂ）がケーブル挿通状態をそれぞれ示している。同図に示すように、可撓性のゴムシートで形成した滑剤の除去用シート１３は、トリプレックスケーブル４１の外周面が内周面に当接して貫通する貫通孔１３Ａを有する環状部材であり、その周方向の一箇所で径方向に伸びる分割線１３Ｂにより分割されている。２分割された板状の受枠１１（１１Ａ，１１Ｂ）は除去用シート１３を両側から挟んで保持する部材である。本形態における除去用シート１３はベアリング１５を介して受枠１１に保持されている。この結果、除去用シート１３は受枠１１に対し回動可能となっている。
【００４５】
かかる除去用シート１３は、切欠部１２Ｃを有しないだけで、塗布用シート１２と同様の構成となっている。したがって、受枠１１およびベアリング１５は両者で共用することもできる。
【００４６】
かかる除去用シート１３は、図４に示す単心用の除去用シート７と同様の機能を発揮する。ここで、除去用シート１３はベアリング１５を介して受枠１１に保持されているので、貫通孔１３Ａに挿通されたトリプレックスケーブル４１が布設に伴い軸方向に移動すると受枠１１に対する回転力が発生するが、ベアリング１５を介して除去用シート１３が回動することで良好な所定の布設を継続することができる。
【００４７】
このように、図７および図８に示す場合も図３および図４に示す単心のケーブル１の場合と同態様にトリプレックスケーブル４１の布設に適用して有用なものとなる。
【００４８】
なお、単心のケーブル１の場合にはベアリング８，９は必ずしも必要はないが、ベアリング８，９を介して塗布用シート６および除去用シート７を保持することにより金属シースのコルゲートケーブル等、布設作業の際に回転力が発生する場合でも良好に適用し得る。
【産業上の利用可能性】
【００４９】
本発明は管路にケーブルを布設する布設工事を行う産業分野において有効に利用することができる。
【符号の説明】
【００５０】
Ａ１，Ａ２                    滑剤塗布装置
Ｂ１，Ｂ２                    滑剤除去装置
１                            ケーブル
２、４、１０、１１            受枠
３、５                        筐体
６、１２                      塗布用シート
６Ａ、７Ａ、１２Ａ、１３Ａ    貫通孔
６Ｂ、７Ｂ、１２Ｂ、１３Ｂ    分割線
７、１３                      除去用シート
８、９、１４、１５            ベアリング
４１                            トリプレックスケーブル
【図１】
2014176105.tif 000003
【図２】
2014176105.tif 000004
【図３】
2014176105.tif 000005
【図４】
2014176105.tif 000006
【図５】
2014176105.tif 000007
【図６】
2014176105.tif 000008
【図７】
2014176105.tif 000009
【図８】
2014176105.tif 000010